(57)【要約】【課題】複数の撮影手段を用いることなく、撮影して得られた画像を拡大して表示した際の画像の解像度の低下を抑制することができる画像処理装置、撮影装置及び画像処理プログラムを提供する。【解決手段】デジタルカメラ１０は、被写体を撮影して得られた全体像を示す全体像情報と被写体をズームアップ撮影して得られた部分像を示す部分像情報とを比較して、全体像情報により示される被写体像における部分像情報により示される部分像に対応する領域の位置を示す座標情報（位置情報）を取得するＣＰＵ４０と、ＣＰＵ４０によって取得された座標情報が付加された全体像情報及びその座標情報に対応する部分像情報を関連付けて記憶する外部メモリ５２と、を備える。【選択図】図２
2011211643.tif 000002
【特許請求の範囲】
【請求項１】
被写体を撮影して得られた被写体画像と前記被写体を拡大撮影して得られた被写体像としての拡大画像とを比較して、前記被写体画像における前記拡大画像に対応する領域の位置を示す位置情報を取得する取得手段と、
前記取得手段によって取得された位置情報が付加された前記被写体画像及び該位置情報に対応する前記拡大画像を関連付けて記憶する記憶手段と、
を含む画像処理装置。
【請求項２】
前記取得手段によって取得された位置情報が付加された前記被写体画像及び該位置情報に対応する前記拡大画像を１つのファイルに纏めた請求項１記載の画像処理装置。
【請求項３】
前記ファイルから削除する対象として前記被写体画像及び前記拡大画像の少なくとも１つを選択する削除選択手段と、
前記削除選択手段によって前記被写体画像が選択された場合、選択された前記被写体画像及び前記位置情報を削除指示に応じて前記ファイルから削除し、前記削除選択手段によって前記拡大画像が選択された場合、選択された前記拡大画像及び該拡大画像に対応する前記位置情報を削除指示に応じて前記ファイルから削除する削除手段と、を更に含む請求項２記載の画像処理装置。
【請求項４】
前記ファイルから複製する対象として前記被写体画像及び前記拡大画像の少なくとも１つを選択する複製選択手段と、
前記複製選択手段によって前記被写体画像が選択された場合、選択された前記被写体画像を複製指示に応じて複製し、前記複製選択手段によって前記拡大画像が選択された場合、選択された前記拡大画像を複製指示に応じて複製する複製手段と、を更に含む請求項２または請求項３に記載の画像処理装置。
【請求項５】
前記ファイルから編集する対象として前記被写体画像及び前記拡大画像の少なくとも１つを選択する編集選択手段と、
前記編集選択手段によって前記被写体画像が選択された場合、選択された前記被写体画像を編集指示に応じて編集し、前記編集選択手段によって前記拡大画像が選択された場合、選択された前記拡大画像を編集指示に応じて編集する編集手段と、を更に含む請求項２〜請求項４の何れか１項に記載の画像処理装置。
【請求項６】
前記編集手段によって前記被写体画像が編集された場合、編集された前記被写体画像に該被写体画像に関連付けられた前記拡大画像に対応する領域が含まれない場合に該拡大画像及び該拡大画像に対応する前記位置情報を前記ファイルから削除する拡大画像削除手段を更に含む請求項５記載の画像処理装置。
【請求項７】
前記取得手段は、更に、前記編集手段によって前記拡大画像が編集された場合、編集された前記拡大画像と該拡大画像に関連付けられた前記被写体画像とを比較して、該被写体画像における前記拡大画像に対応する領域の位置を示す位置情報を新たに取得し、
前記ファイルの前記被写体画像に現時点で付加されている位置情報を前記取得手段によって新たに取得された位置情報に置き換える置換手段を更に含む請求項５または請求項６記載の画像処理装置。
【請求項８】
前記ファイルの前記被写体画像及び前記ファイルの前記拡大画像を表示する表示手段を更に含む請求項２〜請求項７の何れか１項に記載の画像処理装置。
【請求項９】
前記ファイルから表示する対象として前記拡大画像を選択する表示選択手段と、
前記表示選択手段によって前記拡大画像が選択された場合、選択された前記拡大画像が表示されるように前記表示手段を制御する制御手段と、を更に含む請求項８記載の画像処理装置。
【請求項１０】
前記制御手段は、更に、前記表示選択手段によって選択された前記拡大画像が前記表示手段によって表示された場合、表示された拡大画像の一部領域に対して、該拡大画像に対応する前記被写体画像の縮小画像が重ねて表示されるように前記表示手段を制御する請求項９記載の画像処理装置。
【請求項１１】
前記制御手段は、更に、前記被写体画像が前記表示手段によって表示された場合、該被写体画像に付加された前記位置情報により示される位置の前記領域を含む予め定められた領域に対して、該予め定められた領域内の画像に対応する前記拡大画像が前記ファイルに含まれていることを示唆する示唆情報が重ねて表示されるように前記表示手段を制御する請求項９または請求項１０記載の画像処理装置。
【請求項１２】
前記制御手段は、更に、前記表示選択手段により前記拡大画像が選択された場合、選択された前記拡大画像に対応する前記示唆情報が非選択時とは異なる態様で表示されるように前記表示手段を制御する請求項９〜請求項１１の何れか１項に記載の画像処理装置。
【請求項１３】
前記ファイルの前記被写体画像内の所定拡大率で拡大表示する領域を指定する拡大領域指定手段を更に含み、
前記制御手段は、更に、前記拡大領域指定手段によって指定された領域に対応する前記拡大画像が前記ファイルに存在し、かつ前記所定拡大率が該拡大画像の拡大率よりも大きい場合、前記拡大領域指定手段によって指定された領域に対応する前記拡大画像が前記所定拡大率で拡大表示されるように前記表示手段を制御する請求項９〜請求項１２の何れか１項に記載の画像処理装置。
【請求項１４】
請求項１〜請求項１３の何れか１項に記載の画像処理装置と、
前記被写体を撮影する機能及び前記被写体を拡大撮影する機能を兼ね備えた撮影手段と、
を含む撮影装置。
【請求項１５】
コンピュータを、
被写体を撮影して得られた被写体画像と前記被写体を拡大撮影して得られた被写体像としての拡大画像とを比較して、前記被写体画像における前記拡大画像に対応する領域の位置を示す位置情報を取得する取得手段、
及び前記取得手段によって取得された位置情報が付加された前記被写体画像及び該位置情報に対応する前記拡大画像を関連付けて記憶手段に記憶する手段として機能させるための画像処理プログラム。
【発明の詳細な説明】
【技術分野】
【０００１】
本発明は、画像処理装置、撮影装置及び画像処理プログラムに関する。
【背景技術】
【０００２】
近年、簡便に撮影可能なＣＣＤ撮像素子などを有した撮影装置として、デジタルカメラが数多く流通している。このデジタルカメラは、撮影時にレリーズスイッチを操作することをトリガとして、ＣＣＤ撮像素子などで受光した光量に応じた電荷（光電変換）を画素毎に読み取って、被写体像を示す被写体像情報としてのデジタル画像情報に変換した後に、デジタル画像情報を磁気記録媒体などの記録媒体に記録している。
【０００３】
この種のデジタルカメラでは、撮影によって得られたデジタル画像情報により示される被写体像を表示する液晶ディスプレイ等の表示手段を備えており、ユーザは、撮影した画像を表示手段に表示させて直ちに確認することができる。また、一般的に、デジタルカメラには、表示手段に表示された被写体像の拡大表示させたい領域をユーザに指定させることにより、指定された領域を拡大表示する機能が備えられている。従って、ユーザは、撮影によって得られたデジタル画像情報により示される被写体像の部分像を拡大した画像（以下、「拡大画像」という。）を表示手段を介して視認することができる。
【０００４】
ところが、表示手段で表示される拡大画像は、撮影によって得られたデジタル画像情報により示される等倍の被写体像（拡大する前の画像）に比べて解像度が低くなる（画像が粗くなる）ため、ユーザが要望する情報を拡大画像から得ることができない場合がある。
【０００５】
そこで、ユーザが要望する情報を拡大画像から得るために、様々なズームアップ倍率で被写体を撮影することにより事前に複数のデジタル画像情報を取得しておき、これらのデジタル画像情報のうちの何れかをユーザに指定させ、指定されたデジタル画像情報により示される被写体像を表示手段に表示させるデジタルカメラが提案されている。
【０００６】
例えば、特許文献１には、特定の画角で撮影する撮影手段を備え、撮影手段により各々被写体像を様々なズームアップ倍率で連続的に撮影して得られた複数のデジタル画像情報のうちの１つにより示される被写体像が表示手段に表示された状態で、それらのデジタル画像情報から、ユーザによって指定された表示倍率に応じて表示手段に表示させる被写体像を示すデジタル画像情報を選択し、現時点で表示されている被写体像の表示画面を、その選択した被写体像情報により示される被写体像の表示画面に切り替えるデジタルカメラが開示されている。この技術によれば、特定の画角で連続的に撮影されて得られた複数のデジタル画像情報を用いることにより、特定の画角に対応する被写体像を解像度を低下させることなく拡大して表示することができる。
【０００７】
また、特許文献１には、画角が異なるように配置されて同時に撮影を行う複数の撮影手段を備え、撮影手段毎に被写体を様々なズームアップ倍率で連続的に撮影して得られた複数のデジタル画像情報のうちの１つにより示される被写体像が表示手段に表示された状態で、それらのデジタル画像情報から、ユーザによって指定された撮影領域及び表示倍率に応じて表示手段に表示させる被写体像を示すデジタル画像情報を選択し、現時点で表示されている被写体像の表示を、その選択したデジタル画像情報により示される被写体像の表示に切り替えるデジタルカメラが開示されている。この技術によれば、複数の画角で連続的に撮影されて得られたデジタル画像情報を用いることにより、複数の画角の各々に対応する被写体像を解像度を低下させることなく拡大して表示することができる。
【０００８】
更に、特許文献２には、各々異なる画角で被写体を撮影することによりその被写体像を示すデジタル画像情報を取得する複数の撮影手段と、撮影手段の各々によって取得された複数のデジタル画像情報を合成する合成手段と、合成手段により合成された合成画像情報を記録媒体に記録する記録手段と、を備えた画像記録装置が開示されている。この画像記録装置によれば、被写体像の細部を示す情報とその細部の周辺を示す情報とを併せて取得することができる。
【先行技術文献】
【特許文献】
【０００９】
【特許文献１】特開２００８−１５３８７６号公報
【特許文献２】特開２００２−１５２６４６号公報
【発明の概要】
【発明が解決しようとする課題】
【００１０】
しかしながら、特許文献１に記載の技術は、特定の画角または予め定められた複数の画角以外の画角で撮影して得られたデジタル画像情報により示される被写体像を拡大して表示した際の被写体像の解像度の低下を回避することができない、という問題点があった。
【００１１】
また、特許文献２に記載の技術は、任意の画角で撮影して得られたデジタル画像情報を用いているため、撮影して得られたデジタル画像情報により示される被写体像を拡大して表示した際の被写体像の解像度の低下を特許文献１に記載の技術よりも広範囲にわたって抑制することはできるものの、複数の撮影手段を用いなければならない、という問題点があった。
【００１２】
本発明は上記問題点を解決するために成されたものであり、複数の撮影手段を用いることなく、撮影して得られた画像を拡大して表示した際の画像の解像度の低下を抑制することができる画像処理装置、撮影装置及び画像処理プログラムを提供することを目的とする。
【課題を解決するための手段】
【００１３】
上記目的を達成するために、請求項１記載の画像処理装置は、被写体を撮影して得られた被写体画像と前記被写体を拡大撮影して得られた被写体像としての拡大画像とを比較して、前記被写体画像における前記拡大画像に対応する領域の位置を示す位置情報を取得する取得手段と、前記取得手段によって取得された位置情報が付加された前記被写体画像及び該位置情報に対応する前記拡大画像を関連付けて記憶する記憶手段と、を含んで構成されている。
【００１４】
請求項１記載の画像処理装置によれば、取得手段により、被写体を撮影して得られた被写体画像と前記被写体を拡大撮影して得られた被写体像としての拡大画像とが比較されて、前記被写体画像における前記拡大画像に対応する領域の位置を示す位置情報が取得され、前記取得手段によって取得された位置情報が付加された前記被写体画像及び該位置情報に対応する前記拡大画像が関連付けられて記憶手段に記憶される。
【００１５】
このように、請求項１記載の画像処理装置によれば、被写体を撮影して得られた被写体像画像における拡大撮影して得られた拡大画像に対応する領域の位置を示す位置情報が取得され、位置情報が付加された被写体画像及び位置情報に対応する拡大画像が関連付けられて記憶手段に記憶されるので、複数の撮影手段を用いることなく、撮影して得られた画像を拡大して表示した際の画像の解像度の低下を抑制することができる。
【００１６】
なお、請求項１に記載の画像処理装置は、請求項２に記載の発明のように、前記取得手段によって取得された位置情報が付加された前記被写体画像及び該位置情報に対応する前記拡大画像を１つのファイルに纏めたものとしてもよい。これにより、互いに関連する被写体画像、拡大画像及び位置情報を容易に取り扱うことができる。
【００１７】
また、請求項２記載の画像処理装置は、請求項３に記載の発明のように、前記ファイルから削除する対象として前記被写体画像及び前記拡大画像の少なくとも１つを選択する削除選択手段と、前記削除選択手段によって前記被写体画像が選択された場合、選択された前記被写体画像及び前記位置情報を削除指示に応じて前記ファイルから削除し、前記削除選択手段によって前記拡大画像が選択された場合、選択された前記拡大画像及び該拡大画像に対応する前記位置情報を削除指示に応じて前記ファイルから削除する削除手段と、を更に含むものとしてもよい。これにより、所望の被写体画像及び拡大画像を容易に削除することができる。
【００１８】
また、請求項２または請求項３に記載の画像処理装置は、請求項４に記載の発明のように、前記ファイルから複製する対象として前記被写体画像及び前記拡大画像の少なくとも１つを選択する複製選択手段と、前記複製選択手段によって前記被写体画像が選択された場合、選択された前記被写体画像を複製指示に応じて複製し、前記複製選択手段によって前記拡大画像が選択された場合、選択された前記拡大画像を複製指示に応じて複製する複製手段と、を更に含むものとしてもよい。これにより、所望の被写体画像及び拡大画像を容易に複製することができる。
【００１９】
また、請求項２〜請求項４の何れか１項に記載の画像処理装置は、請求項５に記載の発明のように、前記ファイルから編集する対象として前記被写体画像及び前記拡大画像の少なくとも１つを選択する編集選択手段と、前記編集選択手段によって前記被写体画像が選択された場合、選択された前記被写体画像を編集指示に応じて編集し、前記編集選択手段によって前記拡大画像が選択された場合、選択された前記拡大画像を編集指示に応じて編集する編集手段と、を更に含むものとしてもよい。これにより、所望の被写体画像及び拡大画像を容易に編集することができる。
【００２０】
また、請求項５に記載の画像処理装置は、請求項６に記載の発明のように、前記編集手段によって前記被写体画像が編集された場合、編集された前記被写体画像に該被写体画像に関連付けられた前記拡大画像に対応する領域が含まれない場合に該拡大画像及び該拡大画像に対応する前記位置情報を前記ファイルから削除する拡大画像削除手段を更に含むものとしてもよい。これにより、被写体画像を編集した場合、被写体画像、拡大画像及び位置情報の関連性を更新するための処理にかかる手間を省くことができる。
【００２１】
請求項５または請求項６に記載の画像処理装置は、請求項７に記載の発明のように、前記取得手段は、更に、前記編集手段によって前記拡大画像が編集された場合、編集された前記拡大画像と該拡大画像に関連付けられた前記被写体画像とを比較して、該被写体画像における前記拡大画像に対応する領域の位置を示す位置情報を新たに取得し、前記ファイルの前記被写体画像に現時点で付加されている位置情報を前記取得手段によって新たに取得された位置情報に置き換える置換手段を更に含むものとしてもよい。これにより、拡大画像を編集した場合、被写体画像、拡大画像及び位置情報の関連性を更新するための処理にかかる手間を省くことができる。
【００２２】
請求項２〜請求項７の何れか１項に記載の画像処理装置は、請求項８に記載の発明のように、前記ファイルの前記被写体画像及び前記ファイルの前記拡大画像を表示する表示手段を更に含むものとしてもよい。これにより、ファイルの被写体画像およびファイルの拡大画像を容易に視認することができる。
【００２３】
請求項８に記載の画像処理装置は、請求項９に記載の発明のように、前記ファイルから表示する対象として前記拡大画像を選択する表示選択手段と、前記表示選択手段によって前記拡大画像が選択された場合、選択された前記拡大画像が表示されるように前記表示手段を制御する制御手段と、を更に含むものとしてもよい。これにより、ファイルに含まれる所望の拡大画像を容易に視認することができる。
【００２４】
また、請求項９に記載の画像処理装置は、請求項１０に記載の発明のように、前記制御手段は、更に、前記表示選択手段によって選択された前記拡大画像が前記表示手段によって表示された場合、表示された拡大画像の一部領域に対して、該拡大画像に対応する前記被写体画像の縮小画像が重ねて表示されるように前記表示手段を制御するものとしてもよい。これにより、拡大画像に対応する画像が被写体画像の何れの領域に存在するかを容易に把握することができる。
【００２５】
また、請求項９または請求項１０に記載の画像処理装置は、請求項１１に記載の発明のように、前記制御手段が、更に、前記被写体画像が前記表示手段によって表示された場合、該被写体画像に付加された前記位置情報により示される位置の前記領域を含む予め定められた領域に対して、該予め定められた領域内の画像に対応する前記拡大画像が前記ファイルに含まれていることを示唆する示唆情報が重ねて表示されるように前記表示手段を制御するものとしてもよい。これにより、現時点で表示されている被写体画像の何れの領域に拡大画像に対応する画像が存在するかを容易に把握することができる。
【００２６】
また、請求項９〜請求項１１に記載の画像処理装置は、請求項１２に記載の発明のように、前記制御手段が、更に、前記表示選択手段により前記拡大画像が選択された場合、選択された前記拡大画像に対応する前記示唆情報が非選択時とは異なる態様で表示されるように前記表示手段を制御するものとしてもよい。これにより、現時点で表示されている被写体画像に含まれる画像の何れに対応する拡大画像が選択されているのかを容易に把握することができる。
【００２７】
また、請求項９〜請求項１２の何れか１項に記載の画像処理装置は、請求項１３に記載の発明のように、前記ファイルの前記被写体画像内の所定拡大率で拡大表示する領域を指定する拡大領域指定手段を更に含み、前記制御手段が、更に、前記拡大領域指定手段によって指定された領域に対応する前記拡大画像が前記ファイルに存在し、かつ前記所定拡大率が該拡大画像の拡大率よりも大きい場合、前記拡大領域指定手段によって指定された領域に対応する前記拡大画像が前記所定拡大率で拡大表示されるように前記表示手段を制御するものとしてもよい。これにより、拡大して表示された画像の解像度の低下を抑制することができる。
【００２８】
上記目的を達成するために、請求項１４に記載の撮影装置は、請求項１〜請求項１３の何れか１項に記載の画像処理装置と、前記被写体を撮影する機能及び前記被写体を拡大撮影する機能を兼ね備えた撮影手段と、を含んで構成されている。
【００２９】
従って、請求項１４記載の撮影装置は、請求項１〜請求項１３の何れか１項に記載の画像処理装置と同様に作用するので、複数の撮影手段を用いることなく、撮影して得られた画像を拡大して表示した際の画像の解像度の低下を抑制することができる。
【００３０】
上記目的を達成するために、請求項１５記載の画像処理プログラムは、コンピュータを、被写体を撮影して得られた被写体画像と前記被写体を拡大撮影して得られた被写体像としての拡大画像とを比較して、前記被写体画像における前記拡大画像に対応する領域の位置を示す位置情報を取得する取得手段、及び前記取得手段によって取得された位置情報が付加された前記被写体画像及び該位置情報に対応する前記拡大画像を関連付けて記憶手段に記憶する手段として機能させるためのものである。
【００３１】
従って、請求項１５記載の画像処理プログラムは、請求項１〜請求項１３の何れか１項に記載の画像処理装置と同様に作用するので、複数の撮影手段を用いることなく、撮影して得られた画像を拡大して表示した際の画像の解像度の低下を抑制することができる。
【発明の効果】
【００３２】
本発明によれば、複数の撮影手段を用いることなく、撮影して得られた画像を拡大して表示した際の画像の解像度の低下を抑制することができる、という効果が得られる。
【図面の簡単な説明】
【００３３】
【図１】実施形態に係るデジタルカメラの外観を示す外観図である。
【図２】実施形態に係るデジタルカメラの電気系の要部構成を示すブロック図である。
【図３】実施形態に係るデジタルカメラで用いられるｍｐｆファイルの概略構造を示す概念図である。
【図４】実施形態に係るデジタルカメラのＬＣＤの表示画面の一例を示す模式図である。
【図５】実施形態に係る全体／部分撮影モード処理プログラムの処理の流れを示すフローチャートである。
【図６】実施形態に係るデジタルカメラのＬＣＤの表示画面の一例を示す模式図である。
【図７】実施形態に係る全体撮影処理ルーチン・プログラムの処理の流れを示すフローチャートである。
【図８】実施形態に係る部分撮影処理ルーチン・プログラムの処理の流れを示すフローチャートである。
【図９】実施形態に係るデジタルカメラで用いられるｍｐｆファイルにおける部分像情報の記録方式の説明に供する模式図である。
【図１０】実施形態に係る再生モード処理プログラムの処理の流れを示すフローチャートである。
【図１１】実施形態に係るデジタルカメラで用いられるｍｐｆファイルの一例を示す模式図である。
【図１２】実施形態に係るデジタルカメラのＬＣＤの表示画面の一例を示す模式図である。
【図１３】１つのｍｐｆファイルでの部分像情報の選択方法及びｍｐｆファイルの選択方法の一例を示す模式図である。
【図１４】実施形態に係る全体像編集処理プログラムの処理の流れを示すフローチャートである。
【図１５】図１１に示すｍｐｆファイルから部分像情報及び座標情報を削除した場合の一例を示す模式図である。
【図１６】実施形態に係るデジタルカメラのＬＣＤに表示されている全体像をトリミングしてから拡大した場合の一例を示す模式図である。
【図１７】実施形態に係る部分像編集処理プログラムの処理の流れを示すフローチャートである。
【図１８】図１１に示すｍｐｆファイルの部分像情報を更新した場合の一例を示す模式図である。
【図１９】実施形態に係るデジタルカメラのＬＣＤに表示されている被写体像に含まれる部分像情報により示される部分像をトリミングした場合の一例を示す模式図である。
【図２０】実施形態に係る部分像表示処理プログラムの処理の流れを示すフローチャートである。
【図２１】実施形態に係るデジタルカメラのＬＣＤの表示画面の一例を示す模式図である。
【図２２】実施形態に係る拡大表示処理プログラムの処理の流れを示すフローチャートである。
【図２３】実施形態に係るｍｐｆファイルの部分像情報により示される部分像が含まれていない拡大対象領域が選択されて拡大表示された場合の一例を示す模式図である。
【図２４】実施形態に係るｍｐｆファイルの部分像情報により示される部分像が含まれている拡大対象領域が選択されて拡大表示された場合の一例を示す模式図である。
【図２５】実施形態に係る削除処理プログラムの処理の流れを示すフローチャートである。
【図２６】実施形態に係るｍｐｆファイルから全体像情報及び座標情報を削除した場合の一例を示す模式図である。
【図２７】実施形態に係るｍｐｆファイルから部分像情報を削除した場合の一例を示す模式図である。
【図２８】実施形態に係る複製処理プログラムの処理の流れを示すフローチャートである。
【図２９】実施形態に係るｍｐｆファイルの全体像情報を複製した場合の一例を示す模式図である。
【図３０】実施形態に係るｍｐｆファイルの部分像情報を複製した場合の一例を示す模式図である。
【図３１】実施形態に係るｍｐｆファイルをそのまま複製した場合の一例を示す模式図である。
【発明を実施するための形態】
【００３４】
以下、図面を参照して、本発明を実施するための形態の一例について詳細に説明する。
【００３５】
図１は、本実施形態に係るデジタルカメラ１０の外観を示す外観図である。
【００３６】
同図に示すように、本発明の撮影装置として機能するデジタルカメラ１０の正面には、被写体を結像させるためのレンズ１２と、撮影する被写体の構図を決定するために用いられるファインダ６８と、が備えられている。また、デジタルカメラ１０の上面には、撮影を実行する際に撮影者によって押圧操作されるレリーズボタン（所謂シャッター）５６Ａと、電源スイッチ５６Ｂと、が備えられている。
【００３７】
なお、本実施形態に係るレリーズボタン５６Ａは、中間位置まで押下される状態（以下、「半押し状態」という。）と、当該中間位置を超えた最終押下位置まで押下される状態（以下、「全押し状態」という。）と、の２段階の押圧操作が検出可能に構成されている。
【００３８】
そして、本実施形態に係るデジタルカメラ１０では、レリーズボタン５６Ａを半押し状態にすることによりＡＥ（Automatic Exposure、自動露出）機能が働いて露出状態（シャッタースピード、絞りの状態）が設定された後、ＡＦ（Auto Focus、自動合焦）機能が働いて合焦制御され、その後、引き続き全押し状態にすると露光（撮影）が行われる。
【００３９】
一方、デジタルカメラ１０の背面には、撮影によって得られたデジタル画像情報により示される被写体像（画像）や各種メニュー画面、メッセージ等を表示するための液晶ディスプレイ（以下、「ＬＣＤ」という。）３８と、風景を主要被写体にして撮影を行うモードである風景撮影モード、シャッタースピードや絞りの状態等の撮影条件を自動的に設定して撮影を行うオート撮影モード、人物を主要被写体にして撮影を行う人物撮影モード、撮影によって得られたデジタル画像情報により示される被写体像をＬＣＤ３８に拡大して表示（再生）する際に通常よりも高画質な拡大画像として表示するために主要被写体像の全体を示す画像（以下、「全体像」という。）を得るための１回の撮影（以下、「全体像撮影」という。）とその全体像の一部を示す画像（以下、「部分像」という。）を得るための少なくとも１回の撮影（以下、「部分像撮影」という。）とを１組の撮影として行うモードである全体／部分撮影モード、及び撮影によって得られたデジタル画像情報により示される被写体像をＬＣＤ３８に表示（再生）するモードである再生モードの何れかのモードに設定するためにスライド操作されるモード切替スイッチ５６Ｃと、ＬＣＤ３８の表示領域における上・下・左・右の４方向の移動方向を示す４つの矢印キーを含んで構成された十字カーソルボタン５６Ｄと、が備えられている。
【００４０】
また、デジタルカメラ１０の背面には、ＬＣＤ３８にメインメニュー画面を表示する際に押圧操作されるメニューキー５６Ｅと、メニュー画面で指定された処理を実行する際に押圧操作される実行キー５６Ｆと、各種操作を停止（キャンセル）する際に押圧操作されるキャンセルキー５６Ｇと、が備えられている。
【００４１】
更に、デジタルカメラ１０の上面のレリーズボタン５６Ａの近傍には、ＬＣＤ３８に表示されている被写体像をズームアップして表示する際に押圧操作されるズームアップ指示キー５６Ｈと、ＬＣＤ３８に表示されている被写体像をズームバックして表示する際に押圧操作されるズームバック指示キー５６Ｊと、が備えられている。
【００４２】
図２は、本実施形態に係るデジタルカメラ１０の電気系の要部構成を示すブロック図である。
【００４３】
デジタルカメラ１０は、前述のレンズ１２を含んで構成された光学ユニット２２と、レンズ１２の光軸後方に配設された電荷結合素子（以下、「ＣＣＤ」という。）２４と、入力されたアナログ信号に対して各種のアナログ信号処理を行うアナログ信号処理部２６と、を含んで構成されている。
【００４４】
また、デジタルカメラ１０は、入力されたアナログ信号をデジタル信号に変換するアナログ／デジタル変換器（以下、「ＡＤＣ」という。）２８と、入力されたデジタル信号に対して各種のデジタル信号処理を行うデジタル信号処理部３０と、を含んで構成されている。
【００４５】
なお、デジタル信号処理部３０は、所定容量のラインバッファを内蔵し、入力されたデジタル信号を後述するメモリ４８の所定領域に直接記憶させる制御も行う。
【００４６】
ＣＣＤ２４の出力端はアナログ信号処理部２６の入力端に、アナログ信号処理部２６の出力端はＡＤＣ２８の入力端に、ＡＤＣ２８の出力端はデジタル信号処理部３０の入力端に各々接続されている。従って、ＣＣＤ２４から出力された被写体像を示すアナログ信号はアナログ信号処理部２６によって所定のアナログ信号処理が施され、ＡＤＣ２８によってデジタル信号に変換された後にデジタル信号処理部３０に入力される。
【００４７】
一方、デジタルカメラ１０は、被写体像やメニュー画面等をＬＣＤ３８に表示させるための信号を生成してＬＣＤ３８に供給するＬＣＤインタフェース３６と、デジタルカメラ１０全体の動作を司るＣＰＵ（中央処理装置）４０と、ＣＣＤ２４による撮像によって得られたデジタル画像情報等が記憶され、かつＣＰＵ４０により実行される各種制御プログラムやデータが予め記憶されたメモリ４８と、メモリ４８に対するアクセスの制御を行うメモリインタフェース４６と、を含んで構成されている。
【００４８】
また、デジタルカメラ１０は、可搬型の外部メモリ５２をデジタルカメラ１０でアクセス可能とするための外部メモリインタフェース５０と、被写体像を示すデジタル信号に対する圧縮処理及び伸張処理を行う圧縮・伸張処理回路５４と、を含んで構成されている。
【００４９】
なお、本実施形態のデジタルカメラ１０では、メモリ４８としてフラッシュ・メモリ（Flash Memory）が用いられ、外部メモリ５２としてスマート・メディア（Smart Media（登録商標））が用いられている。
【００５０】
一方、デジタル信号処理部３０、ＬＣＤインタフェース３６、ＣＰＵ４０、メモリインタフェース４６、外部メモリインタフェース５０及び圧縮・伸張処理回路５４はシステムバスＢＵＳを介して相互に接続されている。従って、ＣＰＵ４０は、デジタル信号処理部３０及び圧縮・伸張処理回路５４の作動の制御、ＬＣＤ３８に対するＬＣＤインタフェース３６を介した各種情報の可視表示、メモリ４８へのメモリインタフェース４６を介したアクセス、及び外部メモリ５２への外部メモリインタフェース５０を介したアクセスを各々行うことができる。
【００５１】
一方、デジタルカメラ１０には、主としてＣＣＤ２４を駆動させるためのタイミング信号を生成してＣＣＤ２４に供給するタイミングジェネレータ３２が備えられており、ＣＣＤ２４の駆動はＣＰＵ４０によりタイミングジェネレータ３２を介して制御される。
【００５２】
また、デジタルカメラ１０にはモータ駆動部３４が備えられており、光学ユニット２２に備えられた図示しない焦点調整モータ、ズームモータ及び絞り駆動モータの駆動もＣＰＵ４０によりモータ駆動部３４を介して制御される。
【００５３】
すなわち、本実施形態に係るレンズ１２は複数枚のレンズを有し、焦点距離の変更（変倍）が可能なズームレンズとして構成されており、レンズ駆動機構（図示省略）を備えている。このレンズ駆動機構に上記焦点調整モータ、ズームモータ及び絞り駆動モータは含まれるものであり、これらのモータは各々ＣＰＵ４０の制御によりモータ駆動部３４から供給された駆動信号によって駆動される。
【００５４】
更に、前述のレリーズボタン５６Ａ、電源スイッチ５６Ｂ、モード切替スイッチ５６Ｃ、十字カーソルボタン５６Ｄ、メニューキー５６Ｅ、実行キー５６Ｆ、キャンセルキー５６Ｇ、ズームアップ指示キー５６Ｈ、及びズームバック指示キー５６Ｊ等（同図では、「操作部５６」と総称。）はＣＰＵ４０に接続されており、ＣＰＵ４０は、これらの操作部５６に対する操作状態を常時把握できる。
【００５５】
なお、本実施形態に係るデジタルカメラ１０は、操作部５６のズームアップ指示キー５６Ｈに対する押圧操作に応じてＣＰＵ４０がレンズ駆動機構を制御することにより撮影領域がズームアップされるようにズームレンズを光軸に沿って移動させるズームアップ機能、及び操作部５６のズームバック指示キー５６Ｊに対する押圧操作に応じてＣＰＵ４０がレンズ駆動機構を制御することにより撮影領域がズームバックされるようにズームレンズを光軸に沿って移動させるズームバック機能を備えている。以下では、ズームアップ機能及びズームバック機能を区別して説明する必要がない場合には「ズーム機能」と称する。
【００５６】
次に、本実施形態に係るデジタルカメラ１０の撮影時における全体的な動作について説明する。
【００５７】
まず、ＣＣＤ２４は、光学ユニット２２を介した撮像を行い、被写体像を示すＲ（赤）、Ｇ（緑）、Ｂ（青）毎のアナログ信号をアナログ信号処理部２６に順次出力する。アナログ信号処理部２６は、ＣＣＤ２４から入力されたアナログ信号に対して相関二重サンプリング処理等のアナログ信号処理を施した後にＡＤＣ２８に順次出力する。
【００５８】
ＡＤＣ２８は、アナログ信号処理部２６から入力されたＲ、Ｇ、Ｂ毎のアナログ信号を各々所定ビット数のＲ、Ｇ、Ｂのデジタル信号に変換してデジタル信号処理部３０に順次出力する。デジタル信号処理部３０は、内蔵しているラインバッファにＡＤＣ２８から順次入力されるデジタル信号を蓄積して一旦メモリ４８の所定領域に直接格納する。
【００５９】
メモリ４８の所定領域に格納されたデジタル信号は、ＣＰＵ４０による制御に応じてデジタル信号処理部３０により読み出され、所定の物理量に応じたＲ，Ｇ，Ｂ毎のデジタルゲインをかけることでホワイトバランス調整を行うと共に、ガンマ処理及びシャープネス処理を行って所定ビット数のデジタル信号を生成する。
【００６０】
そして、デジタル信号処理部３０は、生成したデジタル信号に対しＹＣ信号処理を施して輝度信号Ｙとクロマ信号Ｃｒ、Ｃｂ（以下、「ＹＣ信号」という。）を生成し、生成したＹＣ信号をデジタル画像情報としてメモリ４８の上記所定領域とは異なる所定領域に格納する。
【００６１】
なお、ＬＣＤ３８は、ＣＣＤ２４による連続的な撮像によって得られた動画像（スルー画像）を表示してファインダとして使用することができるものとして構成されており、ＬＣＤ３８をファインダとして使用する場合には、デジタル信号処理部３０によって生成されたデジタル画像情報を、ＬＣＤインタフェース３６を介して順次ＬＣＤ３８に出力する。これによって、ＬＣＤ３８にスルー画像が表示される。
【００６２】
上記のようにＬＣＤ３８にスルー画像が表示された状態で、レリーズボタン５６Ａがユーザによって半押し状態とされたタイミングで前述のようにＡＥ機能が働いて露出状態が設定された後、ＡＦ機能が働いて合焦制御され、その後、引き続き全押し状態とされたタイミングで、その時点でメモリ４８に格納されているデジタル画像情報が、圧縮・伸張処理回路５４によって所定の圧縮形式（本実施形態では、ＪＰＥＧ形式）で圧縮された後に外部メモリインタフェース５０を介して外部メモリ５２に画像ファイルとして格納される。
【００６３】
なお、本実施形態に係るデジタルカメラ１０では、外部メモリ５２に格納される画像ファイルとして、ＪＰＥＧ形式の画像ファイル（以下、「ＪＰＥＧファイル」という。）及びマルチピクチャフォーマット形式の画像ファイル（以下、「ｍｐｆファイル」という。）を採用している。図３には、本実施形態に係るデジタルカメラ１０で用いられるｍｐｆファイル７０の概略構造を示す概念図が示されている。同図に示されるように、ｍｐｆファイル７０は、Ｅｘｉｆ（Exchangeable Image File Format）で規定されているＪＰＥＧ圧縮データと同一構造のデジタル画像情報により示される被写体像の複数枚の記録を可能にするためのファイルであり、Ｅｘｉｆタグ領域７２ａが付加された先頭画像領域７２及びＥｘｉｆタグ領域７４ａが付加された個別画像領域７４を含んで構成されている。
【００６４】
ところで、本実施形態に係るデジタルカメラ１０では、モード切替スイッチ５６Ｃが操作されて一例として図４に示すようにＬＣＤ３８の画面において全体／部分撮影モードが選択されると、全体／部分撮影モード処理が実行され、全体／部分撮影モード処理が実行される毎に、１つのｍｐｆファイル７０が作成され、先頭画像領域７２には撮影して得られた全体像を示すデジタル画像情報としての全体像情報が、個別画像領域７４には撮影して得られた部分像を示すデジタル画像情報としての部分像情報が各々記録され、Ｅｘｉｆタグ領域７２ａには、先頭画像領域７２に記録された全体像情報により示される全体像のサムネイル画像を示すサムネイル画像情報や後述する位置情報、全体／部分撮影モードによって撮影されたことを示す情報などの先頭画像領域７２に記録された全体像情報に関する付帯情報が記録され、Ｅｘｉｆタグ領域７４ａには、個別画像領域７４に記録された部分像情報により示される部分像のサムネイル画像を示すサムネイル画像情報や撮影日時、全体／部分撮影モードによって撮影されたことを示す情報などの個別画像領域７４に記録された部分像情報に関する付帯情報が記録される。
【００６５】
なお、全体／部分撮影モード以外の撮影モード（一例として、オート撮影モード、人物撮影モード及び風景撮影モード）で撮影が行われた場合、撮影毎に、撮影して得られたデジタル画像情報が記録されたＪＰＥＧファイルが作成されて外部メモリ５２に格納される。
【００６６】
次に、図５を参照して、本実施形態に係るデジタルカメラ１０が全体／部分撮影モード処理を実行しているときの作用を説明する。なお、図５は、モード切替スイッチ５６Ｃによって全体／部分撮影モードが選択された際にＣＰＵ４０により実行される全体／部分撮影モード処理プログラムの処理の流れを示すフローチャートであり、全体／部分撮影モード処理プログラムはメモリ４８の所定領域に予め記憶されている。なお、ここでは、錯綜を回避するために、全体／部分撮影モードにおいて全体像撮影を行う毎に１つのｍｐｆファイル７０が新規に作成される場合について説明する。
【００６７】
同図のステップ１００では、ＬＣＤ３８に対して、ズーム機能を働かせずにメモリ４８から取得したデジタル画像情報により示される被写体像のスルー画像としての表示を開始させると共に、実行する処理として全体像の撮影を行う全体撮影処理及び部分像の撮影を行う部分撮影処理の何れかをユーザに選択させるための処理選択情報をスルー画像が表示されている画面の一部に重ねて表示させるように制御を行った後、ステップ１０２に移行する。なお、以下では、ズーム機能を働かせずに撮影して取得されたデジタル画像情報により示される被写体像を順次に連続的に表示することにより実現されるスルー画像を「通常スルー画像」と称し、予め定められた拡大率としてのズームアップ倍率（ここでは、一例として３倍）で撮影して取得されたデジタル画像情報により示される被写体像を順次に連続的に表示することにより実現されるスルー画像を「ズームアップ・スルー画像」と称する。
【００６８】
図６には、本実施形態に係るデジタルカメラ１０のＬＣＤ３８にスルー画像及び処理選択情報が表示された状態の一例が示されている。同図に示すように、通常スルー画像が表示されている画面の正面視左下領域には処理選択情報として全体撮影処理を示す「全体」との文字が内包された矩形枠及び部分撮影処理を示す「部分」との文字が内包された矩形枠が表示され、デフォルトの状態では全体撮影処理が指定され、一例として同図（Ａ）に示すように、「全体」との文字が内包された矩形枠がアクティブに、「部分」との文字が内包された矩形枠が非アクティブに各々表示される。また、同図（Ｂ）には、部分撮影処理が指定されたときの表示態様の一例が示されており、「全体」との文字が内包された矩形枠が非アクティブとされ、「部分」との文字が内包された矩形枠がアクティブとされ、かつ同図（Ａ）の実際には表示されない×印を撮影領域の中心として予め定められたズームアップ倍率で撮影して得られたズームアップ・スルー画像が表示された状態が示されている。更に、同図（Ｃ）には、部分撮影処理が指定されたときの表示態様の一例が示されており、「全体」との文字が内包された矩形枠が非アクティブとされ、「部分」との文字が内包された矩形枠がアクティブとされ、かつ同図（Ａ）の表示状態において画角を同図（Ａ）の×印よりも下方に移したときのズームアップ・スルー画像がＬＣＤ３８の画面に表示された状態が示されている。
【００６９】
ステップ１０２では、全体撮影処理を実行した後、ステップ１０４に移行する。ここで、図７を参照して本実施形態に係るデジタルカメラ１０が全体撮影処理を実行しているときの作用を説明する。なお、図７は、ステップ１０２においてＣＰＵ４０により実行される全体撮影処理ルーチン・プログラムの処理の流れを示すフローチャートであり、全体撮影処理ルーチン・プログラムもメモリ４８の所定領域に予め記憶されている。
【００７０】
同図のステップ２００では、ズームアップ指示キー５６Ｈまたはズームバック指示キー５６Ｊが押圧操作されることによりズーム機能を働かせるための指示入力が開始されたか否かを判定し、肯定判定となった場合にはステップ２０２に移行する一方、否定判定となった場合にはステップ２０６に移行する。
【００７１】
ステップ２０２では、上記ステップ２００の処理で入力された指示に応じてズーム機能を働かせ、ズームレンズを光軸方向に移動させる。これによって、ＬＣＤ３８には、ズーム機能を働かせて撮影して得られたデジタル画像情報により示されるスルー画像が表示される。
【００７２】
次のステップ２０４では、ズーム機能を働かせるための指示入力が終了したか否かを判定し、否定判定となった場合には上記ステップ２０２に戻る一方、肯定判定となった場合にはステップ２０６に移行する。
【００７３】
ステップ２０６では、レリーズボタン５６Ａが押圧操作されることにより撮影開始指示が入力された否かを判定し、肯定判定となった場合にはステップ２０８に移行する一方、否定判定となった場合にはステップ２１２に移行する。
【００７４】
ステップ２０８では、現時点でメモリ４８に格納されているデジタル画像情報を全体像情報として取得した後、ステップ２１０に移行し、上記ステップ２０６の処理で取得した全体像情報を先頭画像領域７２に記録することにより新規のｍｐｆファイル７０を作成し、作成したｍｐｆファイル７０を外部メモリ５２に格納した後、ステップ２１２に移行する。
【００７５】
ステップ２１２では、操作部５６が操作されることにより全体撮影処理から部分撮影処理への切替指示が入力されたか否かを判定し、肯定判定となった場合にはステップ２１４に移行する一方、否定判定となった場合には本全体撮影処理ルーチン・プログラムを終了する。
【００７６】
ステップ２１４では、今回の全体／部分撮影モード処理の上記ステップ２１０の処理によりｍｐｆファイル７０が作成済みか否かを判定し、肯定判定となった場合にはステップ２１６に移行する一方、否定判定となった場合にはステップ２２２に移行する。
【００７７】
ステップ２１６では、予め定められたズームアップ倍率で撮影されるようにズーム機能を働かせ、ステップ２１８に移行し、予め定められたズームアップ倍率での撮影状態になるまで待機した後、ステップ２２０に移行する。
【００７８】
ステップ２２０では、ＬＣＤ３８に対して、ズームアップ・スルー画像を表示させると共に、「全体」との文字が内包された矩形枠が非アクティブとされ、「部分」との文字が内包された矩形枠がアクティブとされた処理選択情報をズームアップ・スルー画像に重ねて表示させるように制御を行った後、本全体撮影処理ルーチン・プログラムを終了する。
【００７９】
一方、ステップ２２２では、ＬＣＤ３８に対して、スルー画像を表示させたままの状態で画面の一部（例えば、正面視右下領域）に全体像撮影の実行をユーザに促す情報（例えば、「先ず、全体像撮影を行って下さい。」とのメッセージ）を所定条件（例えば、ステップ２２２の処理の実行を開始してから所定時間（一例として１０秒）経過した、との条件）を満たすまで表示させるように制御を行った後、ステップ２２４に移行し、上記ステップ２１２の処理で入力された切替指示を無効化した後、本全体撮影処理ルーチン・プログラムを終了する。
【００８０】
一方、全体／部分撮影モード処理プログラムのステップ１０４では、部分撮影処理が指定されているか否かを判定し、否定判定となった場合には上記ステップ１０２に戻る一方、肯定判定となった場合にはステップ１０６に移行する。
【００８１】
ステップ１０６では、上記ステップ２１０の処理を実行することにより最新に作成されたｍｐｆファイル７０に部分像情報が記録されているか否かを判定し、肯定判定となった場合にはステップ１０８に移行する一方、否定判定となった場合にはステップ１１６に移行し、部分撮影処理を実行した後、ステップ１１８に移行する。
【００８２】
ここで、図８を参照して本実施形態に係るデジタルカメラ１０が部分撮影処理を実行しているときの作用を説明する。なお、図８は、ステップ１１６においてＣＰＵ４０により実行される部分撮影処理ルーチン・プログラムの処理の流れを示すフローチャートであり、部分撮影処理ルーチン・プログラムもメモリ４８の所定領域に予め記憶されている。
【００８３】
同図のステップ２５０では、ズームアップ指示キー５６Ｈまたはズームバック指示キー５６Ｊが押圧操作されることによりズーム機能を働かせるための指示入力が開始されたか否かを判定し、肯定判定となった場合にはステップ２５２に移行する一方、否定判定となった場合にはステップ２５６に移行する。
【００８４】
ステップ２５２では、上記ステップ２５０の処理により入力された指示に応じてズーム機能を働かせ、ズームレンズを光軸方向に移動させる。これによって、ＬＣＤ３８には、ズーム機能を働かせて撮影して得られたデジタル画像情報により示されるスルー画像が表示される。なお、本実施形態に係るデジタルカメラ１０は、部分撮影処理プログラムの上記ステップ２５２の処理において予め定められたズームアップ倍率未満の倍率でズームバック撮影できないように構成されており、撮影者に対して予め定められたズームアップ倍率以上でズームアップ撮影（拡大撮影）を行わせるようにしている。
【００８５】
次のステップ２５４では、ズーム機能を働かせるための指示入力が終了したか否かを判定し、否定判定となった場合には上記ステップ２５２に戻る一方、肯定判定となった場合にはステップ２５６に移行する。
【００８６】
ステップ２５６では、レリーズボタン５６Ａが押圧操作されることにより撮影開始指示が入力された否かを判定し、肯定判定となった場合にはステップ２５８に移行する一方、否定判定となった場合にはステップ２６２に移行する。
【００８７】
ステップ２５８では、現時点でメモリ４８に格納されているデジタル画像情報を部分像情報として取得した後、ステップ２６０に移行し、上記ステップ２５８の処理で取得した部分像情報を上記ステップ２１０の処理を実行することにより最新に作成されたｍｐｆファイル７０の個別画像領域７４に記録した後、ステップ２６２に移行する。
【００８８】
図９には、ｍｐｆファイル７０における部分像情報の記録方式を説明するための模式図が示されている。一例として同図に示すように、ｍｐｆファイル７０には、上記ステップ２５８の処理を実行することにより部分像情報「１」が取得されると、取得された部分像情報「１」が先頭画像領域７２に後続する個別画像領域７４に追加記録され、その後、上記ステップ２５８の処理を再び実行することにより部分像情報「２」が取得されると、取得された部分像情報「２」が部分像情報「１」を有する個別画像領域７４に後続する個別画像領域７４に追加記録される。
【００８９】
ステップ２６２では、部分撮影処理から全体撮影処理への切替指示が入力されたか否かを判定し、肯定判定となった場合にはステップ２６４に移行する一方、否定判定となった場合には本部分撮影処理ルーチン・プログラムを終了する。
【００９０】
ステップ２６４では、ズーム機能を解除するように制御を行い、次のステップ２６６にてズーム機能の解除が終了するまで待機した後、ステップ２６８に移行し、ＬＣＤ３８に対して通常スルー画像を表示させるように制御を行った後、本部分撮影処理ルーチン・プログラムを終了する。
【００９１】
一方、全体／部分撮影モード処理プログラムのステップ１０８では、上記ステップ２１０の処理を実行することにより最新に作成されたｍｐｆファイル７０に、後述するステップ１１０の処理において先頭画像領域７２に記録された全体像情報との比較が未だに行われていない部分像情報が記録されているか否かを判定し、肯定判定となった場合にはステップ１１０に移行する一方、否定判定となった場合にはステップ１１８に移行する。
【００９２】
ステップ１１０では、ｍｐｆファイル７０に記録されている全体像情報（被写体画像）とそのｍｐｆファイル７０に記録されている部分像情報（拡大画像）とをパターンマッチングすることによりｍｐｆファイル７０に記録されている全体像情報により示される全体像とそのｍｐｆファイル７０に記録されている部分像情報により示される部分像とを比較し、全体像情報により示される全体像に部分像情報により示される部分像が含まれているか否かを判定し、肯定判定となった場合にはステップ１１２に移行する一方、否定判定となった場合にはステップ１１８に移行する。
【００９３】
ステップ１１２では、全体像情報により示される全体像における部分像情報により示される部分像の位置を示す位置情報としての座標情報を全体像情報から取得する。具体的には、全体像情報により示される全体像における部分像情報により示される部分像の輪郭を特定する座標情報を全体像情報から取得する。
【００９４】
次のステップ１１４では、上記ステップ１１２の処理で取得した座標情報とその座標情報に対応する部分像情報を特定する特定情報とを対応付けてｍｐｆファイル７０のＥｘｉｆタグ領域７２ａに記録した後、ステップ１１８に移行する。なお、本実施形態に係るデジタルカメラ１０では、全体撮影処理で作成した最新のｍｐｆファイル７０のＥｘｉｆタグ領域７２ａに、部分像撮影を行う毎に上記ステップ１１２の処理で取得した座標情報が、その座標情報に対応する部分像情報を特定する特定情報に対応付けられて追加記録される。
【００９５】
ステップ１１８では、操作部５６が操作されることにより本全体／部分撮影モード処理プログラムの終了指示が入力されたか否かを判定し、否定判定となった場合にはステップ１２０に移行し、全体撮影処理が指示されている否かを判定し、肯定判定となった場合にはステップ１０２に戻る一方、否定判定となった場合にはステップ１１６に戻る。一方、ステップ１１８において肯定判定となった場合には、本全体／部分撮影モード処理プログラムを終了する。
【００９６】
次に、図１０を参照して、本実施形態に係るデジタルカメラ１０が再生モード処理を実行しているときの作用を説明する。なお、図１０は、モード切替スイッチ５６Ｃが操作されることによって再生モードが選択された際にＣＰＵ４０により実行される再生モード処理プログラムの処理の流れを示すフローチャートであり、再生モード処理プログラムはメモリ４８の所定領域に予め記憶されている。なお、ここでは、錯綜を回避するために、外部メモリ５２に格納された複数のｍｐｆファイル７０の何れかに記録されたデジタル画像情報により示される被写体像を再生する場合について説明する。
【００９７】
同図のステップ３００では、上記ステップ２１０の処理を実行することにより最新に作成されたｍｐｆファイル７０を外部メモリ５２から読み出す。なお、本ステップ３００では、モード切替スイッチ５６Ｃが選択されることによって再生モードが選択された場合、外部メモリ５２から最新に作成されたｍｐｆファイル７０を読み出し、ユーザによって操作部５６が操作されることによりｍｐｆファイル７０が指定された場合、指定されたｍｐｆファイル７０を外部メモリ５２から読み出す。
【００９８】
次のステップ３０２では、ｍｐｆファイル７０の先頭画像領域７２に記録された全体像情報を取得した後、次のステップ３０４にて、ＬＣＤ３８に対して、上記ステップ３０２の処理で取得した全体像情報により示される全体像を表示させるように制御を行う。
【００９９】
次のステップ３０６では、上記ステップ３００の処理で読み出したｍｐｆファイル７０のＥｘｉｆタグ領域７２ａに座標情報が記録されているか否かを判定し、否定判定となった場合にはステップ３１６に移行する一方、肯定判定となった場合にはステップ３０８に移行し、上記ステップ３００の処理で読み出したｍｐｆファイル７０のＥｘｉｆタグ領域７２ａから座標情報を取得し、次のステップ３１０にて、現時点でＬＣＤ３８に表示されている全体像に含まれる部分像を示す部分像情報が上記ステップ３００の処理で読み出したｍｐｆファイル７０に含まれていることを示唆する示唆情報として、ＬＣＤ３８に対して、上記ステップ３０８の処理で取得した座標情報により示される表示領域を取り囲む破線矩形枠を現時点で表示されている全体像に重ねて表示させる。例えば、図１１に示すように、１つのｍｐｆファイル７０のＥｘｉｆタグ領域７２ａに部分像「１」〜「５」に関する座標情報が記録されている場合、一例として図１２に示すように、ＬＣＤ３８の画面に、先頭画像領域７２に記録された全体像情報により示される全体像が表示されると共にその全体像に対して部分像「１」〜「５」の各々を取り囲む破線矩形枠が重ねて表示される。なお、同図では、部分像「１」の破線矩形枠は、ＬＣＤ３８の画面よりも大きいため表示されていない。また、同図では、説明の都合上「１」〜「５」の数字が記されているが、これらの数字は実際の画面には表示されない。
【０１００】
ところで、本実施形態に係るデジタルカメラ１０では、図１２に示すようにＬＣＤ３８に表示されている全体像に対して破線矩形枠が重ねて表示されている場合、操作部５６が操作されることによりＬＣＤ３８に表示されている破線矩形枠の何れかが選択され、選択された破線矩形枠及びその内部が反転表示されると共に、選択された破線矩形枠に対応する部分像情報が選択される。図１３には、１つのｍｐｆファイル７０での部分像情報の選択方法及びｍｐｆファイル７０の選択方法の一例が示されている。同図に示すように、十字カーソルボタン５６Ｄの上下方向の矢印キーが押圧操作されることにより１つのｍｐｆファイル７０の全体像情報及び部分像情報が順次に選択される。なお、十字カーソルボタン５６Ｄの左右方向の矢印キーが押圧操作されることにより外部メモリ５２に時系列に沿って格納されているｍｐｆファイル７０が時系列順に選択され、選択されたｍｐｆファイル７０が外部メモリ５２から読み出される。
【０１０１】
そこで、ステップ３１２では、十字カーソルボタン５６Ｄの上下方向の矢印キーが押圧操作されることによりＬＣＤ３８に表示されている破線矩形枠の選択指示が入力されたか否かを判定し、否定判定となった場合にはステップ３１６に移行する一方、肯定判定となった場合にはステップ３１４に移行し、ＬＣＤ３８に対して上記ステップ３１２の処理で選択した破線矩形枠及びその内部を反転表示させるように制御を行った後、ステップ３１６に移行する。
【０１０２】
ステップ３１６では、操作部５６が操作されることにより所定処理の実行指示が入力されたか否かを判定し、ステップ３１６において否定判定となった場合にはステップ３２０に移行する一方、肯定判定となった場合にはステップ３１８に移行し、上記ステップ３１６の処理で指定した処理を実行した後、ステップ３２０に移行する。
【０１０３】
ステップ３２０では、操作部５６が操作されることにより再生モード処理の終了指示が入力されたか否かを判定し、肯定判定となった場合には本再生モード処理プログラムを終了する一方、否定判定となった場合にはステップ３２２に移行し、十字カーソルボタン５６Ｄの左右方向の矢印キーが押圧操作されることによりｍｐｆファイル７０の選択指示が入力されたか否かを判定し、否定判定となった場合には上記ステップ３１２に戻る一方、肯定判定となった場合には上記ステップ３００に移行する。
【０１０４】
ところで、本実施形態に係るデジタルカメラ１０では、上記ステップ３１８で実行される所定処理として、ｍｐｆファイル７０の先頭画像領域７２に記録された全体像情報を編集する全体像編集処理、ｍｐｆファイル７０の個別画像領域７４に記録された部分像情報を編集する部分像編集処理、外部メモリ５２からデジタル画像情報を削除する削除処理、デジタル画像情報を複製する複製処理、部分像情報により示される部分像を表示する部分像表示処理、及びＬＣＤ３８に表示されている全体像の一部領域を指定して、指定した領域を拡大して表示する拡大表示処理を適用している。
【０１０５】
次に、図１４を参照して、本実施形態に係るデジタルカメラ１０が全体像編集処理を実行しているときの作用を説明する。なお、図１４は、上記ステップ３１６にて全体像編集処理の実行指示が入力された際にＣＰＵ４０により実行される全体像編集処理プログラムの処理の流れを示すフローチャートであり、全体像編集処理プログラムはメモリ４８の所定領域に予め記憶されている。なお、ここでは、錯綜を回避するために、全体像編集処理によって実行可能な編集を全体像の拡大及びトリミングとした場合について説明する。
【０１０６】
同図のステップ３５０では、操作部５６が操作されることにより現時点でＬＣＤ３８に表示されている全体像の編集指示が入力されたか否かを判定し、否定判定となった場合にはステップ３６２に移行する一方、肯定判定となった場合にはステップ３５２に移行し、現在表示されている全体像が上記ステップ３５０の処理で指示した編集内容に基づいて編集されるように上記ステップ３００の処理で外部メモリ５２から読み出したｍｐｆファイル７０の先頭画像領域７２に記録された全体像情報を編集する。
【０１０７】
次のステップ３５４では、上記ステップ３００の処理で外部メモリ５２から読み出したｍｐｆファイル７０に部分像情報が記録されているか否かを判定し、否定判定となった場合にはステップ３６０に移行する一方、肯定判定となった場合にはステップ３５６に移行する。
【０１０８】
ステップ３５６では、上記ステップ３００の処理で外部メモリ５２から読み出したｍｐｆファイル７０に記録された部分像情報により示される部分像の全体が上記ステップ３５２の処理で編集した全体像情報により示される全体像に含まれないか否かを判定し、否定判定となった場合にはステップ３６０に移行する一方、肯定判定となった場合にはステップ３５８に移行し、上記ステップ３５６の処理を実行することにより全体像情報により示される全体像に含まれないと判定された部分像を示す部分像情報をｍｐｆファイル７０から削除すると共にその部分像情報に対応する座標情報をＥｘｉｆタグ領域７２ａから削除した後、ステップ３６０に移行する。
【０１０９】
図１５には、図１１に示すｍｐｆファイル７０から部分像情報及び座標情報を削除した場合の一例が示されている。同図に示すように、上記ステップ３５６の処理で部分像「２」及び部分像「４」を含まないと判定した場合、上記ステップ３５８では、ｍｐｆファイルから部分像「２」及び部分像「４」の各々を示す部分像情報を削除すると共に、Ｅｘｉｆタグ領域７２ａから部分像「２」を示す部分像情報に対応する座標情報及び部分像「４」を示す部分像情報に対応する座標情報を削除する。
【０１１０】
ステップ３６０では、ＬＣＤ３８に対して、上記ステップ３５２の処理で編集して得られた全体像情報により示される全体像を表示させた後、ステップ３６２に移行する。ステップ３６２では、操作部５６が操作されることにより全体像編集処理の終了指示が入力されたか否かを判定し、否定判定となった場合にはステップ３５０に戻る一方、肯定判定となった場合には本全体像編集処理プログラムを終了する。
【０１１１】
図１６には、ＬＣＤ３８に表示されている全体像をトリミングしてから拡大した場合の一例が示されている。同図に示すように、ＬＣＤ３８には、全体像が表示されている状態で、操作部５６を介して編集指示が入力されて上記ステップ３５０〜３６２の処理が繰り返し実行されることによって、編集対象の領域が破線矩形枠で取り囲まれることにより選択され、選択された領域がトリミングされ、トリミングされた領域が拡大される様子が入力される編集指示に応じて表示される。
【０１１２】
なお、本実施形態に係るデジタルカメラ１０では、上記ステップ３５２の処理で編集して得られた全体像情報により示される全体像に部分像情報により示される部分像の全体が含まれる場合、上記ステップ３６０の処理にて、ＬＣＤ３８に対して、上記ステップ３５２の処理で編集して得られた全体情報により示される全体像を表示させると共に、その全体像に含まれる部分像情報により示される部分像に対応させて上述した示唆情報を重ねて表示させ、上記ステップ３５２の処理で編集して得られた全体像情報により示される全体像に部分像情報により示される部分像の一部が含まれる場合、上記ステップ３６０の処理で、ＬＣＤ３８に対して、上記ステップ３５２の処理で編集して得られた全体像情報により示される全体像を表示させるが、上述した示唆情報は表示させない。
【０１１３】
次に、図１７を参照して、本実施形態に係るデジタルカメラ１０が部分像編集処理を実行しているときの作用を説明する。なお、図１７は、上記ステップ３１６にて部分像編集処理の実行指示が入力された際にＣＰＵ４０により実行される部分像編集処理プログラムの処理の流れを示すフローチャートであり、部分像編集処理プログラムはメモリ４８の所定領域に予め記憶されている。なお、ここでは、錯綜を回避するために、部分像編集処理によって実行可能な編集を部分像の拡大及びトリミングとした場合について説明する。
【０１１４】
同図のステップ４００では、上記ステップ３１２の処理を実行することにより部分像情報が選択指示されたか否かを判定し、否定判定となった場合にはステップ４０２に移行し、ＬＣＤ３８に対して、ユーザに部分像情報の選択指示を促す情報（例えば、「部分像情報を選択して下さい。」とのメッセージ）を所定条件（例えば、ステップ４０２の処理が実行されてから所定時間（例えば、１０秒）経過した、との条件）を満足するまで表示させるように制御を行った後、本部分像編集処理プログラムを終了する。
【０１１５】
一方、上記ステップ４００において肯定判定となった場合にはステップ４０４に移行し、操作部５６が操作されることにより、現時点で選択されている部分像情報により示される部分像の編集指示が入力されたか否かを判定し、否定判定となった場合にはステップ４１４に移行する一方、肯定判定となった場合にはステップ４０６に移行し、上記ステップ４０４の処理で指示した編集内容に基づいて部分像が編集されるように現時点で選択されている部分像情報を編集する。
【０１１６】
次のステップ４０８では、上記ステップ４０６の処理で編集して得られた部分像情報により示される部分像の大きさ及び形状と編集前の大きさ及び形状とを加味して、上記ステップ４０６の処理で編集して得られた部分像情報により示される部分像と上記ステップ３０２の処理で取得した全体像情報により示される全体像とをパターンマッチングすることにより比較し、全体像情報により示される全体像における上記ステップ４０６の処理で編集して得られた部分像情報により示される部分像の位置を示す座標情報を全体像情報から取得した後、ステップ４１０に移行する。
【０１１７】
ステップ４１０では、Ｅｘｉｆタグ領域７２ａに記録されている編集前の部分像情報に対応する座標情報を上記ステップ４０８の処理で取得した部分像情報に置き換えた後、ステップ４１２に移行する。
【０１１８】
図１８には、図１１に示すｍｐｆファイル７０の部分像情報を更新した場合の一例が示されている。同図に示すように、上記ステップ４０６の処理を実行することにより部分像「５」を示す部分像情報が編集された場合、この編集に伴ってＥｘｉｆタグ領域７２ａの編集前の部分像「５」を示す部分像情報に対応する座標情報が編集後の部分像「５」を示す部分像情報に対応する座標情報に置き換えられることにより更新される。
【０１１９】
ステップ４１２では、ＬＣＤ３８に対して、上記ステップ４０６の処理で編集して得られた部分像情報により示される部分像を表示させるように制御を行った後、ステップ４１４に移行し、操作部５６が操作されることにより部分像編集処理の終了指示が入力されたか否かを判定し、否定判定となった場合にはステップ４０４に戻る一方、肯定判定となった場合にはステップ４１６に移行する。
【０１２０】
ステップ４１６では、ＬＣＤ３８に対して、上記ステップ３０２の処理で取得した全体像情報により示される全体像を表示させるように制御を行った後、ステップ４１８に移行し、ＬＣＤ３８に対して、現時点でＥｘｉｆタグ領域７２ａに記録されている座標情報に基づく示唆情報を現在表示させている全体像に重ねて表示させるように制御を行った後、本部分像編集処理プログラムを終了する。
【０１２１】
図１９には、ＬＣＤ３８に表示されている被写体像に含まれる部分像情報により示される部分像をトリミングした場合の一例が示されている。同図に示すように、ＬＣＤ３８には、全体像が表示されている状態で操作部５６を介して編集指示が入力されて上記ステップ４０４〜４１４の処理が繰り返し実行されることによって、編集対象の領域が破線矩形枠で取り囲まれることにより選択され、選択された領域がトリミングされる様子が入力される編集指示に応じて表示される。そして、上記ステップ４１６の処理及び上記ステップ４１８の処理が実行されることにより、上記ステップ４０４〜４１４の処理によってトリミングされた領域に対応する破線矩形枠が現時点でＬＣＤ３８に表示されている全体像に重ねて表示される。
【０１２２】
次に、図２０を参照して、本実施形態に係るデジタルカメラ１０が部分像表示処理を実行しているときの作用を説明する。なお、図２０は、上記ステップ３１６にて部分像表示処理の実行指示が入力された際にＣＰＵ４０により実行される部分像表示処理プログラムの処理の流れを示すフローチャートであり、部分像表示処理プログラムはメモリ４８の所定領域に予め記憶されている。
【０１２３】
同図のステップ４５０では、上記ステップ３１２の処理で部分像情報を選択指示したか否かを判定し、否定判定となった場合にはステップ４５２に移行し、ＬＣＤ３８に対して、ユーザに部分像情報の選択を促す情報（例えば、「部分像情報を選択して下さい。」とのメッセージ）を所定条件（例えば、ステップ４５２の処理が実行されてから所定時間（例えば、１０秒）経過した、との条件）を満足するまで表示させるように制御を行った後、本部分像表示処理プログラムを終了する。
【０１２４】
一方、ステップ４５０において肯定判定となった場合にはステップ４５４に移行し、上記ステップ３００の処理で読み出したｍｐｆファイル７０から現時点で選択されている部分像情報を取得した後、次のステップ４５６にて、ＬＣＤ３８に対して、現在の画面表示を終了させるように制御を行うと共に、上記ステップ４５４の処理で取得した部分像情報により示される部分像を表示させるように制御を行った後、次のステップ４５８にて、ＬＣＤ３８に対して、上記ステップ３００の処理で読み出したｍｐｆファイル７０の先頭画像領域７２に記録された全体像情報により示される全体像に相当する縮小画像を現在表示されている部分像の画面の一部に重ねて表示させる。なお、本実施形態に係るデジタルカメラ１０では、上記ステップ４５８の処理として、一例として図２１に示すように、ＬＣＤ３８に対して、上記ステップ３００の処理で読み出したｍｐｆファイル７０のＥｘｉｆタグ領域７２ａに記録されているサムネイル画像を現時点で表示されている部分像の画面の正面視右下領域に重ねて表示させる処理を適用している。また、同図に示すように、上記ステップ４５２の処理で取得した部分像情報に対応する座標情報に基づく示唆情報としての破線矩形枠がサムネイル画像の対応する部分像を取り囲んで表示される。
【０１２５】
次のステップ４６０では、操作部５６が操作されることにより部分像表示処理の終了指示が入力されるまで待機し、次のステップ４６２にて、現在の画面表示を終了させるように制御を行うと共に、上記ステップ３１０の処理を実行することによってＬＣＤ３８に表示された画面（図２１に示すサムネイル画像に相当する全体像）を再表示させるようにＬＣＤ３８を制御した後、本部分像表示処理プログラムを終了する。
【０１２６】
次に、図２２を参照して、本実施形態に係るデジタルカメラ１０が拡大表示処理を実行しているときの作用を説明する。なお、図２２は、上記ステップ３１６にて拡大表示処理の実行指示が入力された際にＣＰＵ４０により実行される拡大表示処理プログラムの処理の流れを示すフローチャートであり、拡大表示処理プログラムはメモリ４８の所定領域に予め記憶されている。
【０１２７】
同図のステップ５００では、操作部５６が操作されることにより拡大表示される対象領域（以下、「拡大対象領域」という。）の選択指示及び拡大倍率を示す拡大倍率情報が入力されたか否かを判定し、否定判定となった場合にはステップ５１４に移行する一方、肯定判定となった場合にはステップ５０２に移行する。なお、本実施形態に係るデジタルカメラ１０では、上記ステップ５００の処理を実行することにより、ＬＣＤ３８には、拡大対象領域が破線矩形枠で取り囲まれた状態で表示される。
【０１２８】
ステップ５０２では、上記ステップ５００の処理を実行することにより選択された拡大対象領域に上記ステップ３００の処理で読み出したｍｐｆファイル７０に記録された部分像情報により示される部分像が含まれているか否かを判定し、肯定判定となった場合にはステップ５０４に移行する一方、否定判定となった場合にはステップ５１２に移行する。なお、本実施形態に係るデジタルカメラ１０では、上記ステップ５０２の処理として、上記ステップ５００の処理で選択された拡大表示領域の座標情報とｍｐｆファイル７０のＥｘｉｆタグ領域７２ａに記録された座標情報とを比較して拡大対象領域に部分像情報により示される部分像が含まれるか否かを判定する処理を適用している。
【０１２９】
ステップ５０４では、上記ステップ５００の処理で入力された拡大倍率情報により示される拡大倍率が上記ステップ５０２の処理で拡大対象領域に含まれると判定された部分像に相当する部分像情報により示される部分像のズームアップ率よりも大きいか否かを判定し、否定判定となった場合にはステップ５１２に移行し、ＬＣＤ３８に対して、現在の画面表示を終了させるように制御を行うと共に、上記ステップ３０２の処理で取得した全体像情報により示される全体像を上記ステップ５００の処理で入力された拡大倍率情報により示される拡大倍率で拡大して表示させるように制御を行った後、ステップ５１４に移行する。
【０１３０】
一方、ステップ５０４において肯定判定となった場合にはステップ５０６に移行し、拡大対象領域に含まれると判定された部分像に対応する部分像情報をｍｐｆファイル７０から取得した後、ステップ５０８に移行し、上記ステップ５００の処理で入力された拡大倍率情報に基づいて上記ステップ５０６の処理で取得した部分像情報と上記ステップ３０２の処理で取得した全体像情報とを合成して合成画像情報を作成する。なお、本実施形態に係るデジタルカメラ１０では、上記ステップ５０８の処理として、上記ステップ５０６の処理で取得した部分像情報により示される部分像を上記ステップ５００の処理で入力された拡大倍率情報により示される拡大倍率で拡大し、拡大して得られた部分像を示すデジタル画像情報を、上記ステップ３０２の処理で取得した全体像情報により示される全体像を上記ステップ５００の処理で入力された拡大倍率情報により示される拡大倍率で拡大して得られた全体像の対応する領域のデジタル画像情報と置き換えることにより合成画像情報を作成する処理を適用している。
【０１３１】
次のステップ５１０では、ＬＣＤ３８に対して、現在の画面表示を終了させるように制御を行うと共に、上記ステップ５０８の処理を実行することにより作成された合成画像情報により示される拡大画像（合成画像）を表示させるように制御を行った後、ステップ５１４に移行する。
【０１３２】
ステップ５１４では、操作部５６が操作されることにより拡大表示処理の終了指示が入力されたか否かを判定し、否定判定となった場合には上記ステップ５００に戻る一方、肯定判定となった場合には本拡大表示処理プログラムを終了する。
【０１３３】
図２３には、部分像情報により示される部分像が含まれていない拡大対象領域が選択されて拡大表示された場合の一例が、図２４には、部分像情報により示される部分像が含まれている拡大対象領域が選択されて拡大表示された場合の一例が各々示されている。部分像情報により示される部分像が含まれていない拡大対象領域が選択されると、一例として図２３に示すように、全体像情報により示される全体像を拡大表示することになるため、現時点でＬＣＤ３８に表示されている全体像情報により示される全体像を上記ステップ５００の処理で入力された拡大倍率情報により示される拡大倍率で拡大した画像が表示される。これに対し、部分像情報により示される部分像が含まれている拡大対象領域が選択されると、一例として図２４に示すように、部分像情報により示される部分像を上記ステップ５００の処理で入力された拡大倍率情報により示される拡大倍率で拡大した画像を含めて表示されるので、図２３に示す画像よりも解像度の高い拡大画像を表示させることができる。なお、図２４では、部分像情報により示される部分像が拡大対象領域を全て占有している場合の例が示されているが、拡大選択領域に部分像情報により示される部分像が一部しか含まれていない場合には拡大選択領域に含まれる全体像情報により示される全体像と拡大選択領域に含まれる部分像情報により示される部分像とが繋ぎ合わされた（合成された）状態で拡大表示される。この場合、Ｅｘｉｆタグ領域７２ａの座標情報を参照して拡大選択領域に含まれる部分像情報により示される部分像の位置を特定し、特定した位置に対応する部分像情報を用いて拡大表示を行う。
【０１３４】
次に、図２５を参照して、本実施形態に係るデジタルカメラ１０が削除処理を実行しているときの作用を説明する。なお、図２５は、上記ステップ３１６にて削除処理の実行指示が入力された際にＣＰＵ４０により実行される削除処理プログラムの処理の流れを示すフローチャートであり、削除処理プログラムはメモリ４８の所定領域に予め記憶されている。なお、ここでは、錯綜を回避するために、上記ステップ３１２の処理を実行することにより部分像情報が選択されている場合について説明する。
【０１３５】
同図のステップ５５０では、操作部５６が操作されることにより、上記ステップ３００の処理で読み出したｍｐｆファイル７０の先頭画像領域７２に含まれる全体像情報の削除指示が入力されたか否かを判定し、肯定判定となった場合にはステップ５５２に移行し、上記ステップ３００の処理で読み出したｍｐｆファイル７０の先頭画像領域７２に含まれる全体像情報及びＥｘｉｆタグ領域７２ａの座標情報を含む全ての情報を削除した後、ステップ５５４に移行する。
【０１３６】
ステップ５５４では、上記ステップ５５２の処理を実行することにより先頭画像領域７２の全体像情報が削除されたｍｐｆファイル７０に部分像情報が含まれているか否かを判定し、否定判定となった場合にはステップ５７２に移行する一方、肯定判定となった場合にはステップ５５６に移行し、上記ステップ５５２の処理を実行することにより先頭画像領域７２の全体像情報が削除されたｍｐｆファイル７０から部分像情報を取得する。
【０１３７】
次のステップ５５８では、上記ステップ５５６の処理で取得した部分像情報をＪＰＥＧファイルとして部分像情報毎に新規に作成して外部メモリ５２に格納した後、ステップ５７２に移行する。
【０１３８】
図２６には、ｍｐｆファイル７０から全体像情報及び座標情報を削除した場合の一例が示されている。同図に示すように、先頭画像領域７２の全体像情報及びＥｘｉｆタグ領域７２ａの座標情報を含む全ての情報が削除されると、ｍｐｆファイル７０の部分像「１」〜「３」の各々を示す部分像情報は各々独立したＪＰＥＧファイルに分割される。
【０１３９】
一方、上記ステップ５５０において否定判定となった場合にはステップ５６０に移行し、操作部５６が操作されることにより、上記ステップ３００の処理で読み出したｍｐｆファイル７０の部分像情報の削除指示が入力されたか否かを判定し、肯定判定となった場合にはステップ５６２に移行し、上記ステップ３００の処理で読み出したｍｐｆファイル７０に部分像情報が含まれているか否かを判定し、否定判定となった場合にはステップ５７２に移行する一方、肯定判定となった場合にはステップ５６４に移行する。
【０１４０】
ステップ５６４では、上記ステップ３００の処理で読み出したｍｐｆファイル７０から現時点で選択されている部分像情報を削除した後、ステップ５６６に移行し、上記ステップ３００の処理で読み出したｍｐｆファイル７０のＥｘｉｆタグ領域７２ａから上記ステップ５６４の処理で削除した部分像情報に対応する座標情報を含む全ての情報を削除した後、ステップ５７２に移行する。
【０１４１】
図２７には、ｍｐｆファイル７０から部分像情報を削除した場合の一例が示されている。同図に示すように、ｍｐｆファイル７０に記録されている部分像「１」〜「３」の各々を示す部分像情報から部分像「２」を示す部分像情報が削除されると、部分像「２」を示す部分像情報に対応する座標情報がＥｘｉｆタグ領域７２ａから削除される。これによって、ｍｐｆファイル７０から削除された部分像「２」を示す部分像情報とｍｐｆファイル７０に残された全体像情報との関連性は失われる。
【０１４２】
一方、上記ステップ５６０において否定判定となった場合にはステップ５６８に移行し、操作部５６が操作されることにより、上記ステップ３００の処理で読み出したｍｐｆファイル７０の削除指示が入力されたか否かを判定し、否定判定となった場合にステップ５７２に移行する一方、肯定判定となった場合にはステップ５７０に移行し、上記ステップ３００の処理で読み出したｍｐｆファイル７０を外部メモリ５２から削除した後、ステップ５７２に移行する。
【０１４３】
ステップ５７２では、操作部５６が操作されることにより削除処理の終了指示が入力されたか否かを判定し、否定判定となった場合には上記ステップ５５０に戻る一方、肯定判定となった場合には本削除処理プログラムを終了する。
【０１４４】
次に、図２８を参照して、本実施形態に係るデジタルカメラ１０が複製処理を実行しているときの作用を説明する。なお、図２８は、上記ステップ３１６にて複製処理の実行指示が入力された際にＣＰＵ４０により実行される複製処理プログラムの処理の流れを示すフローチャートであり、複製処理プログラムはメモリ４８の所定領域に予め記憶されている。なお、ここでは、錯綜を回避するために、上記ステップ３１２の処理を実行することにより部分像情報が選択されている場合について説明する。
【０１４５】
同図のステップ６００では、操作部５６が操作されることにより上記ステップ３００の処理で読み出したｍｐｆファイル７０の全体像情報の複製指示が入力されたか否かを判定し、肯定判定となった場合にステップ６０２に移行し、一例として図２９に示すように上記ステップ３００の処理で読み出したｍｐｆファイル７０の全体像情報を複製する。なお、この際、Ｅｘｉｆタグ領域７２ａの座標情報は複製されない。
【０１４６】
次のステップ６０４では、前段のステップの処理で複製して得られた全体像情報をＪＰＥＧファイルとして新規に作成して外部メモリ５２に格納した後、ステップ６１６に移行する。
【０１４７】
一方、上記ステップ６００において否定判定となった場合にはステップ６０６に移行し、操作部５６が操作されることにより上記ステップ３００の処理で読み出したｍｐｆファイル７０の部分像情報の複製指示が入力されたか否かを判定し、肯定判定となった場合にはステップ６０８に移行し、上記ステップ３００の処理で読み出したｍｐｆファイル７０に部分像情報が含まれているか否かを判定し、否定判定となった場合にはステップ６１４に移行する一方、肯定判定となった場合にはステップ６１０に移行する。
【０１４８】
ステップ６１０では、一例として図３０に示すように、上記ステップ３１２に処理を実行することにより選択された部分像情報（図３０では、部分像「１」を示す部分像情報）を複製した後、上記ステップ６０４に移行する。
【０１４９】
一方、上記ステップ６０６において否定判定となった場合にはステップ６１２に移行し、操作部５６が操作されることにより上記ステップ３００の処理で読み出したｍｐｆファイル７０の複製指示が入力されたか否かを判定し、否定判定となった場合にはステップ６１６に移行する一方、肯定判定となった場合にはステップ６１４に移行し、上記ステップ３００の処理で読み出したｍｐｆファイル７０を、一例として図３１に示すように、そのまま複製して外部メモリ５２に格納した後、ステップ６１６に移行する。
【０１５０】
ステップ６１６では、操作部５６が操作されることにより複製処理の終了指示が入力されたか否かを判定し、否定判定となった場合には上記ステップ６００に戻る一方、肯定判定となった場合には本複製処理プログラムを終了する。
【０１５１】
以上、詳細に説明したように、本実施形態に係るデジタルカメラ１０によれば、被写体を撮影して得られた全体像を示す全体像情報（被写体画像）と被写体をズームアップ撮影（拡大撮影）して得られた部分像を示す部分像情報（拡大画像）とを比較して、全体像情報により示される被写体像における部分像情報により示される部分像に対応する領域の位置を示す座標情報（位置情報）を取得するＣＰＵ４０（取得手段）と、ＣＰＵ４０によって取得された座標情報が付加された全体像情報及びその座標情報に対応する部分像情報を関連付けて記憶する外部メモリ５２（記憶手段）と、を備えているので、複数の撮影手段を用いることなく、撮影して得られた画像を拡大して表示した際の画像の解像度の低下を抑制することができる。
【０１５２】
また、本実施形態に係るデジタルカメラ１０によれば、ＣＰＵ４０によって取得された座標情報が付加された全体像情報及びその座標情報に対応する部分像情報を１つのｍｐｆファイル７０に纏めたので、互いに関連する全体像情報、部分像情報及び座標情報を容易に取り扱うことができる。
【０１５３】
また、本実施形態に係るデジタルカメラ１０によれば、ｍｐｆファイル７０から削除する対象として全体像情報及び部分像情報の少なくとも１つを選択する操作部５６（削除選択手段）と、操作部５６が操作されることによって全体像情報が選択された場合、選択された全体像情報及び座標情報を削除指示に応じてｍｐｆファイル７０から削除し、操作部５６が操作されることによって部分像情報が選択された場合、選択された部分像情報及びその部分像情報に対応する座標情報を削除指示に応じてｍｐｆファイル７０から削除するＣＰＵ４０（削除手段）と、を備えているので、特定の全体像情報及び部分像情報を容易に削除することができる。
【０１５４】
また、本実施形態に係るデジタルカメラ１０によれば、ｍｐｆファイル７０から複製する対象として全体像情報及び部分像情報の少なくとも１つを選択する操作部５６（複製選択手段）と、操作部５６が操作されることによって全体像情報が選択された場合、選択された全体像情報を複製指示に応じて複製し、操作部が操作されることによって部分像情報が選択された場合、選択された部分像情報を複製指示に応じて複製するＣＰＵ４０（複製手段）と、を備えているので、特定の全体像情報及び部分像情報を容易に複製することができる。
【０１５５】
また、本実施形態に係るデジタルカメラ１０によれば、ｍｐｆファイル７０から編集する対象として全体像情報及び部分像情報の少なくとも１つを選択する操作部５６（編集選択手段）と、操作部５６が操作されることによって全体像情報が選択された場合、選択された全体像情報を編集指示に応じて編集し、操作部５６が操作されることによって部分像情報が選択された場合、選択された部分像情報を編集指示に応じて編集するＣＰＵ４０（編集手段）と、を備えているので、特定の全体像情報及び部分像情報を容易に編集することができる。
【０１５６】
また、本実施形態に係るデジタルカメラ１０によれば、全体像情報が編集された場合、編集された全体像情報により示される全体象にその全体像情報に関連付けられた部分像情報により示される部分像に対応する領域が含まれていない場合に部分像情報及びその部分像情報に対応する座標情報をｍｐｆファイル７０から削除するＣＰＵ４０（拡大画像削除手段）を備えているので、全体像情報を編集した場合、全体像情報、部分像情報及び座標情報の関連性を更新するための処理にかかる手間を省くことができる。
【０１５７】
また、本実施形態に係るデジタルカメラ１０によれば、ＣＰＵ４０は、部分像情報を編集した場合、編集した部分像情報とその部分像情報に関連付けられた全体像情報とを比較して、その全体像情報により示される全体像における部分像情報により示される部分像に対応する領域の位置を示す座標情報を新たに取得し、ｍｐｆファイル７０の全体像情報に現時点で付加されている座標情報を新たに取得した座標情報に置き換える置換手段として機能しているので、部分像情報を編集した場合、全体像情報、部分像情報及び座標情報の関連性を更新するための処理にかかる手間を省くことができる。
【０１５８】
また、本実施形態に係るデジタルカメラ１０によれば、ｍｐｆファイル７０の全体像情報により示される全体像およびｍｐｆファイル７０の部分像情報により示される部分像を表示するＬＣＤ３８を備えているので、ｍｐｆファイル７０の全体像情報により示される全体像およびｍｐｆファイル７０の部分像情報により示される部分像を容易に視認することができる。
【０１５９】
また、本実施形態に係るデジタルカメラ１０によれば、ｍｐｆファイル７０から表示する対象として部分像情報を選択する操作部５６（表示選択手段）と、操作部５６が操作されることによって選択された部分像情報により示される部分像が表示されるようにＬＣＤ３８を制御するＣＰＵ４０（制御手段）と、を備えているので、ｍｐｆファイル７０に含まれる特定の部分像情報により示される部分像を容易に視認することができる。
【０１６０】
また、本実施形態に係るデジタルカメラ１０によれば、ＣＰＵ４０は、操作部５６が操作されることによって選択された部分像情報により示される部分像がＬＣＤ３８に表示された場合、表示された部分像の一部領域に対して、その部分像情報に対応する全体像情報により示される全体像のサムネイル画像（縮小画像）が重ねて表示されるようにＬＣＤ３８を制御しているので、部分像が全体像の何れの領域に存在するかを容易に把握することができる。
【０１６１】
また、本実施形態に係るデジタルカメラ１０によれば、ＣＰＵ４０は、全体像がＬＣＤ３８に表示された場合、その全体像を示す全体像情報に付加された座標情報により示される位置の部分像を含む予め定められた領域に対して、その予め定められた領域内の画像に対応する部分像を示す部分像情報がｍｐｆファイル７０に含まれていることを示唆する破線矩形枠（示唆情報）が重ねて表示されるようにＬＣＤ３８を制御しているので、現時点で表示されている全体像の何れの領域に部分像情報により示される部分像が存在するかを容易に把握することができる。
【０１６２】
また、本実施形態に係るデジタルカメラ１０によれば、ＣＰＵ４０は、操作部５６が操作されることによって部分像情報が選択された場合、選択された部分像情報に対応する示唆情報が非選択時とは異なる態様で表示されるようにＬＣＤ３８を制御しているので、現時点で表示されている全体像に含まれる部分像の何れに対応する部分像情報が選択されているのかを容易に把握することができる。
【０１６３】
また、本実施形態に係るデジタルカメラ１０によれば、ｍｐｆファイル７０の全体像情報により示される全体像内の所定拡大率で拡大表示する拡大対象領域を指定する操作部５６（拡大領域指定手段）を備え、ＣＰＵ４０は、操作部５６が操作されることによって指定された拡大対象領域に対応する部分像情報がｍｐｆファイル７０に存在し、かつ所定拡大率が部分像情報により示される部分像のズームアップ率（拡大率）よりも大きい場合、操作部５６が操作されることによって指定された拡大対象領域に対応する部分像情報により示される部分像が所定拡大率で拡大表示されるようにＬＣＤ３８を制御しているので、拡大画像の解像度の低下を抑制することができる。
【０１６４】
なお、上記実施形態では、ｍｐｆファイル７０に全体像情報、部分像情報及び座標情報を纏めて記録した場合の形態例を挙げて説明したが、これに限らず、例えば、外部メモリ５２に、全体像情報が記録されたＪＰＥＧファイルが格納される全体像格納領域、部分像情報が記録されたＪＰＥＧファイルが格納される部分像格納領域、及び座標情報が格納される座標格納領域を設け、互いに関連する全体像情報、部分像情報及び座標情報を、ｍｐｆファイル７０に記録せずに各々対応する格納領域に互いを関連付けた状態で格納するようにしてもよい。また、デジタルカメラ１０に接続され、デジタルカメラ１０との間で情報の送受信を行う外部装置（例えば、パーソナル・コンピュータ）の記憶手段（例えば、ハードディスクドライブなどの不揮発性記憶媒体）にデジタルカメラ１０の全体／部分撮影モード処理を実行することにより得られた全体像情報及び座標情報を、デジタルカメラ１０の外部メモリ５２に部分像情報を各々関連付けて記憶させてもよい。このように、全体像情報、部分像情報及び座標情報をｍｐｆファイル７０に記録せずに、互いを関連付けて複数の記録手段間または記憶手段内の複数の記憶領域間に跨って分散させて記憶させてもよい。
【０１６５】
また、上記実施形態では、削除指示が入力されたときにｍｐｆファイル７０から全体像情報、部分像情報及び座標情報を削除する場合の形態例、及び複製指示が入力されたときにｍｐｆファイル７０から全体像情報や部分像情報を複製する場合の形態例を挙げて説明したが、これに限らず、ｍｐｆファイル７０から全体像情報や部分像情報を他の記憶領域に移動させて移動先に格納するようにしてもよい。この場合、例えば、削除対象及び複製対象を選択する場合と同様に移動対象とする全体像情報及び座標情報をｍｐｆファイル７０から選択して、選択した全体像情報及び座標情報を外部メモリ５２以外の別の不揮発性メモリ（予備記憶手段）に移動させて格納しておくことで、所定条件を満足したときに予備記録手段に格納されている全体像情報及び座標情報を読み出し、外部メモリ５２に残されている部分像情報と再度関連付けてｍｐｆファイル７０を再構築することができるようにしてもよい。また、移動対象としてｍｐｆファイル７０に記録された部分像情報を選択して、選択した部分像情報を予備記憶手段に移動させて格納しておくことで、所定条件を満足したときに予備記録手段に格納されている部分像情報を読み出し、外部メモリ５２に残されている全体像情報及び座標情報と再度関連付けてｍｐｆファイル７０を再構築することができるようにしてもよい。
【０１６６】
また、上記実施形態では、全体像編集処理が実行されることにより、ｍｐｆファイル７０に記録された部分像情報により示される部分像の全体が上記ステップ３５２の処理で編集した全体像情報により示される全体像に含まれない場合に、その部分像情報をｍｐｆファイル７０から削除すると共にその部分像情報に対応する座標情報をＥｘｉｆタグ領域７２ａから削除する場合の形態例を挙げたが、これに限らず、ｍｐｆファイル７０に記録された部分像情報により示される部分像の少なくとも一部が上記ステップ３５２の処理で編集した全体像情報により示される全体像に含まれない場合に、その部分像情報をｍｐｆファイル７０から削除すると共にその部分像情報に対応する座標情報をＥｘｉｆタグ領域７２ａから削除してもよい。
【０１６７】
また、上記実施形態では、示唆情報としてＬＣＤ３８に表示される破線矩形枠を例示したが、これに限らず、示唆情報はＬＣＤ３８に表示される破線円形枠や実線矩形枠などであってもよい。また、示唆情報は音声再生装置などによる音声情報であってもよい。また、示唆情報はプリンタなどの画像形成装置によって記録用紙に印字されたドキュメント情報であってもよい。このように、部分像情報により示される部分像に相当する部分像に対してｍｐｆファイル７０に部分像情報が記録されていることを示唆することができる情報であれば如何なる情報であってもよい。
【０１６８】
また、上記実施形態では、部分像情報が選択された場合に、対応する示唆情報の表示態様を反転表示させる場合の形態例を挙げて説明したが、これに限らず、例えば、選択された部分像情報により示される部分像を取り囲む破線矩形枠及びその内側以外の領域を反転表示させることにより示唆情報の表示態様を通常時の表示態様と異なるものとしてもよい。このように、部分像情報が選択された場合の示唆情報の表示態様は、選択された部分像情報により示される部分像に相当する部分像が画面上の何れの領域に存在しているのかをユーザが把握することできる表示態様であればよい。
【０１６９】
また、上記実施形態では、削除対象とするデジタル画像情報を選択した後、操作部５６が操作されることにより削除指示が入力された場合にデジタル画像情報を削除する場合の形態例を挙げて説明したが、これに限らず、例えば、削除対象とするデジタル画像情報を選択してから所定条件（予め定められた時間（例えば、１０秒）経過した、との条件）を満足した場合に、この時点で削除対象とされているデジタル画像情報を削除するようにしてもよい。
【０１７０】
また、上記実施形態では、複製対象とするデジタル画像情報を選択した後、操作部５６が操作されることにより複製指示が入力された場合にデジタル画像情報を複製する場合の形態例を挙げて説明したが、これに限らず、例えば、複製対象とするデジタル画像情報を選択してから所定条件（予め定められた時間（例えば、１０秒）経過した、との条件）を満足した場合に、この時点で複製対象とされているデジタル画像情報を複製するようにしてもよい。
【０１７１】
また、上記実施形態では、部分像表示処理の実行指示が入力された際に部分像表示処理が実行される場合の形態例を挙げて説明したが、これに限らず、例えば、操作部５６が操作されることにより部分像情報が選択されてから所定条件（予め定められた時間（例えば、１０秒）経過した、との条件）を満足した場合に、この時点で選択されている部分像情報により示される部分像がＬＣＤ３８に表示されるように制御を行ってもよい。
【０１７２】
また、上記実施形態では、部分像編集処理の実行指示が入力された際に部分像編集処理が実行される場合の形態例を挙げて説明したが、これに限らず、例えば、操作部５６が操作されることにより部分像情報が選択されてから所定条件（予め定められた時間（例えば、１０秒）経過した、との条件）を満足した場合に、この時点で選択されている部分像情報に対して予め定められた編集が施されるようにしてもよい。なお、予め定められた編集としては、部分像を所定倍率で拡大または縮小表示する、という編集、部分像を所定の形状にトリミングする、という編集、及び部分像を所定の形状にトリミングしてから所定倍率で拡大または縮小表示する、という編集などが例示できる。
【０１７３】
また、上記実施形態では、全体像編集処理の実行指示が入力された際に全体像編集処理が実行される場合の形態例を挙げて説明したが、これに限らず、例えば、ＬＣＤ３８に対して全体像を表示させてから所定条件（予め定められた時間（例えば、１分）経過した、との条件）を満足した場合に、全体像情報に対して予め定められた編集が施されるようにしてもよい。なお、予め定められた編集としては、全体像の所定領域を所定倍率で拡大または縮小表示する、という編集、全体像の所定領域を所定の形状にトリミングする、という編集、及び全体像の所定領域を所定の形状にトリミングしてから所定倍率で拡大または縮小表示する、という編集などが例示できる。
【０１７４】
また、上記実施形態では、部分像情報の削除指示に応じてｍｐｆファイル７０から部分像情報のみを削除する場合の形態例を挙げて説明したが、これに限らず、部分像情報の削除指示に応じてｍｐｆファイル７０を外部メモリ５２から削除するようにしてもよい。        
【０１７５】
また、上記実施形態では、拡大対象領域に部分像情報により示される部分像と全体像情報により示される全体像とが含まれている場合、部分像情報により示される部分像と全体像情報により示される全体像とを合成した画像が拡大表示されるように制御を行う形態例を挙げて説明したが、これに限らず、例えば、拡大対象領域に部分像情報により示される部分像と全体像情報により示される全体像とが含まれている場合、部分像情報により示される部分像が拡大対象領域の代表画像として拡大表示されるように制御を行ってもよい。また、拡大対象領域に部分像情報により示される部分像の全体が含まれない場合、全体像情報により示される全体像が拡大対象領域の代表画像として拡大表示されるように制御を行い、拡大対象領域に部分像情報により示される部分像の全体が含まれる場合、部分像情報により示される部分像が拡大対象領域の代表画像として拡大表示されるように制御を行ってもよい。また、拡大対象領域に部分像情報により示される部分像の全体が含まれない場合、全体像情報により示される全体像が拡大対象領域の代表画像として拡大表示されるように制御を行い、全体像情報により示される全体像が拡大対象領域の代表画像として拡大表示されるように制御を行い、拡大対象領域に部分像情報により示される部分像の全体が含まれる場合、部分像情報により示される部分像と全体像情報により示される全体像とを合成した画像が拡大表示されるように制御を行ってもよい。
【０１７６】
また、上記実施形態では、全体像が表示されてから操作部５６が操作されることによって選択された部分像情報により示される部分像をＬＣＤ３８に表示させる場合の形態例を挙げて説明したが、これに限らず、例えば、全体像が表示されてから所定条件（例えば、所定時間（一例として３０秒）経過した、との条件）を満足したときにその全体像に対応する部分像情報により示される部分像をスライドショー形式で表示されるようにＬＣＤ３８を制御するようにしてもよい。
【０１７７】
また、上記実施形態では、ユーザがＬＣＤ３８に表示されるメニュー画面や撮影して得られた被写体像を視認しながら操作部５６を操作することにより全体／部分撮影モード処理及び再生モード処理などの各種処理が実行される場合の形態例を挙げて説明したが、これに限らず、例えば、ＬＣＤ３８にタッチパネルを設け、ユーザが指やタッチペンを使ってタッチパネルを介して指示入力を行うことにより各種処理が実行されるようにしてもよい。また、デジタルカメラ１０に通信ケーブルを介してパーソナル・コンピュータ（ＰＣ）などの外部端末装置を接続し、デジタルカメラ１０で取得したデジタル画像情報を外部端末装置に転送し、外部端末装置に接続された表示装置（例えば、液晶ディスプレイ）に対してデジタル画像情報により示される被写体像を表示させ、ユーザが、表示装置の表示画面を見ながら、ＰＣに接続されている入力装置（例えば、マウスやキーボード）を操作することにより上記の各種処理が実行されるようにしてもよい。
【０１７８】
また、上記実施形態では、１つの視点から被写体を撮影することにより得られた平面視画像を作成し、作成した平面視画像を平面視表示する場合の形態例を挙げて説明したが、これに限らず、複数の視点から同一被写体を撮影することにより得られた視点画像を組み合わせて立体視用画像を作成し、作成した立体視用画像を立体視表示する場合も適用可能である。
【０１７９】
また、上記実施形態では、各種プログラムがメモリ４８に予め記憶されている場合の形態例を挙げて説明したが、これに限らず、各種プログラムをＣＤ−ＲＯＭやＤＶＤ−ＲＯＭ、ＵＳＢメモリなどのコンピュータによって読み取られる記録媒体に格納した状態で提供する形態を適用してもよいし、有線又は無線による通信手段を介して配信する形態を適用しても良い。
【符号の説明】
【０１８０】
１０  デジタルカメラ
２４  ＣＣＤ
３８  ＬＣＤ
４０  ＣＰＵ
５２  外部メモリ
５６  操作部
７０  ｍｐｆファイル
７２ａ  Ｅｘｉｆタグ領域
７２  先頭画像領域
７４  個別画像領域
【図１】
2011211643.tif 000003
【図２】
2011211643.tif 000004
【図３】
2011211643.tif 000005
【図４】
2011211643.tif 000006
【図５】
2011211643.tif 000007
【図７】
2011211643.tif 000008
【図８】
2011211643.tif 000009
【図９】
2011211643.tif 000010
【図１０】
2011211643.tif 000011
【図１１】
2011211643.tif 000012
【図１２】
2011211643.tif 000013
【図１３】
2011211643.tif 000014
【図１４】
2011211643.tif 000015
【図１５】
2011211643.tif 000016
【図１６】
2011211643.tif 000017
【図１７】
2011211643.tif 000018
【図１８】
2011211643.tif 000019
【図１９】
2011211643.tif 000020
【図２０】
2011211643.tif 000021
【図２１】
2011211643.tif 000022
【図２２】
2011211643.tif 000023
【図２３】
2011211643.tif 000024
【図２４】
2011211643.tif 000025
【図２５】
2011211643.tif 000026
【図２６】
2011211643.tif 000027
【図２７】
2011211643.tif 000028
【図２８】
2011211643.tif 000029
【図２９】
2011211643.tif 000030
【図３０】
2011211643.tif 000031
【図３１】
2011211643.tif 000032
【図６】
2011211643.tif 000033